(57)【要約】【課題】給水タンク内に水が残っていない場合の不要な水交換報知を防止する。【解決手段】加湿機は、本体に対して着脱可能であって、水を貯留する給水タンクと、本体に対する給水タンクの取付けの有無を検知する着脱検知手段と、給水タンク内の水の有無を検知する水検知手段と、給水タンク内の水の交換が必要な状態であることを報知する報知手段と、着脱検知手段と水検知手段の検知結果に基づいて報知手段を制御する制御手段とを備えており、制御手段は、給水タンクが本体に取り付けられており、且つ、給水タンクの内部に水が有る状態の継続時間をカウントし、カウント時間が第１所定時間以上の場合に、報知手段に水交換必要状態を報知させる。【選択図】図９
2015045436.tif 000002
【特許請求の範囲】
【請求項１】
加湿機本体に対して着脱可能であって、水を貯留する給水タンクと、
前記加湿機本体に対する前記給水タンクの取付けの有無を検知する着脱検知手段と、
前記給水タンク内の水の有無を検知する水検知手段と、
前記給水タンク内の水の交換が必要な状態であることを報知する報知手段と、
前記着脱検知手段と前記水検知手段の検知結果に基づいて、前記報知手段を制御する制御手段とを備え、
前記制御手段は、
前記給水タンクが前記加湿機本体に取り付けられており、且つ、前記給水タンクの内部に水が有る状態の継続時間をカウントし、カウント時間が第１所定時間以上の場合に、前記報知手段に水交換必要状態を報知させることを特徴とする加湿機。
【請求項２】
前記制御手段は、前記カウント中に、前記着脱検知手段が前記給水タンクの取付け無しを検知した状態が、第２所定時間継続した場合に、前記給水タンクが前記加湿機本体から取り外されたと判断してカウント時間をリセットすることを特徴とする請求項１に記載の加湿機。
【請求項３】
前記制御手段は、前記カウント中に、前記水検知手段が前記給水タンク内の水無しを検知した状態が、第３所定時間継続した場合に、前記給水タンク内に水が無いと判断してカウント時間をリセットすることを特徴とする請求項１または２に記載の加湿機。
【請求項４】
前記カウント時間をリセットするリセット操作部を備えており、
前記制御手段は、
前記リセット操作部が操作された場合に、カウント時間をリセットすることを特徴とする請求項１〜３のいずれかに記載の加湿機。
【請求項５】
前記制御手段は、
前記報知手段による水交換必要状態の報知開始後、前記着脱検知手段が前記給水タンクの取付け無しを検知した状態が、前記第２所定時間継続した場合に、前記給水タンクが前記加湿機本体から取り外されたと判断して水交換必要状態の報知を停止させることを特徴とする請求項２に記載の加湿機。
【請求項６】
前記制御手段は、
前記報知手段による水交換必要状態の報知開始後、前記水検知手段が前記給水タンク内の水無しを検知した状態が、前記第３所定時間継続した場合に、前記給水タンク内の水が無いと判断して水交換必要状態の報知を停止させることを特徴とする請求項３に記載の加湿機。
【請求項７】
前記報知手段による報知を停止させる停止操作部を備えており、
前記制御手段は、
前記報知手段による水交換必要状態の報知開始後、前記停止操作部が操作された場合に、水交換必要状態の報知を停止させることを特徴とする請求項１〜６のいずれかに記載の加湿機。
【請求項８】
前記給水タンクから供給された水を貯留する水トレイを備えており、
前記水検知手段が、前記水トレイ内の水面の高さに基づいて、前記水タンク内の水の有無を検知することを特徴とする請求項１〜７のいずれかに記載の加湿機。
【発明の詳細な説明】
【技術分野】
【０００１】
本発明は、着脱可能な給水タンクを有する加湿機に関する。
【背景技術】
【０００２】
従来より、給水タンクが加湿機本体に対して着脱可能に設けられ、この給水タンク内の水を利用して空気を加湿する加湿機が知られている。衛生上、給水タンク内の水は毎日交換することが望ましいが、交換を忘れて放置してしまう場合がある。そこで、給水タンク内の水が古くなるのを防止するために、水交換を促す報知を行う加湿機がある。
【０００３】
例えば、特許文献１の加湿機は、給水タンクの取付けの有無を検知する水交換検知スイッチを有しており、水交換検知スイッチが給水タンクの取付けを検知した後、所定の時間が経過しても給水タンクが取付けられたままであって、水交換検知スイッチの状態が変化しない場合に、水交換を報知するようになっている。
【０００４】
また、例えば特許文献２の加湿機は、運転スイッチが操作されてから停止スイッチが操作されるまでの運転時間と、運転と停止の繰り返し回数を記憶し、運転時間の合計時間が所定の時間を超えた場合、または、運転と停止の繰り返し回数が所定の回数を超えた場合に、水交換を報知するようになっている。
【先行技術文献】
【特許文献】
【０００５】
【特許文献１】特開平４−２７８１３８号公報
【特許文献２】特開平５−６０３６９号公報
【発明の概要】
【発明が解決しようとする課題】
【０００６】
しかしながら、特許文献１、２の加湿機では、水交換を報知するか否かの判断に、給水タンク内に水の有無を用いていないため、給水タンク内に水が残っていない場合にも、所定の条件を満たせば水交換が報知される。この場合、給水タンク内の水が古くなるのを防止するという目的からは、不要な報知を行うこととなる。
【０００７】
そこで、本発明は、給水タンク内に水が残っていない場合の不要な水交換報知を防止できる加湿機を提供することを目的とする。
【課題を解決するための手段】
【０００８】
第１の発明に係る加湿機は、加湿機本体に対して着脱可能であって、水を貯留する給水タンクと、前記加湿機本体に対する前記給水タンクの取付けの有無を検知する着脱検知手段と、前記給水タンク内の水の有無を検知する水検知手段と、前記給水タンク内の水の交換が必要な状態であることを報知する報知手段と、前記着脱検知手段と前記水検知手段の検知結果に基づいて、前記報知手段を制御する制御手段とを備え、前記制御手段は、前記給水タンクが前記加湿機本体に取り付けられており、且つ、前記給水タンクの内部に水が有る状態の継続時間をカウントし、カウント時間が第１所定時間以上の場合に、前記報知手段に水交換必要状態を報知させることを特徴とする。
【０００９】
この加湿機では、水の入った給水タンクが第１所定時間以上継続して加湿機本体に取り付けられている場合に、水交換報必要状態がユーザーに報知される。水交換必要状態を報知するか否かの判断に、給水タンクが取付けられている継続時間だけでなく、給水タンク内の水の有無を用いているため、給水タンク内に水が残っていない場合の不要な水交換報知を防止できる。
【００１０】
第２の発明に係る加湿機は、第１発明において、前記制御手段は、前記カウント中に、前記着脱検知手段が前記給水タンクの取付け無しを検知した状態が、第２所定時間継続した場合に、前記給水タンクが前記加湿機本体から取り外されたと判断してカウント時間をリセットすることを特徴とする。
【００１１】
この加湿機では、カウント中に、着脱検知手段が給水タンクの取付け無しを検知した状態が、第２所定時間継続した場合に、給水タンクが取り外されたと制御手段が判断して、カウント時間をリセットする。カウント中に、着脱検知手段が給水タンクの取付け無しを検知した場合であっても、その継続時間が第２所定時間未満の場合には、カウント時間をリセットしない。したがって、例えば給水タンクに物がぶつかるなどして、給水タンクが一時的にずれた場合に、給水タンクが取り外されたと判断してカウント時間をリセットしてしまうのを防止できる。
【００１２】
第３の発明に係る加湿機は、第１または第２の発明において、前記制御手段は、前記カウント中に、前記水検知手段が前記給水タンク内の水無しを検知した状態が、第３所定時間継続した場合に、前記給水タンク内に水が無いと判断してカウント時間をリセットすることを特徴とする。
【００１３】
この加湿機では、カウント中に、水検知手段が給水タンク内の水無しを検知した状態が、第３所定時間継続した場合に、給水タンク内に水が無いと制御手段が判断して、カウント時間をリセットする。カウント中に、水検知手段が給水タンク内の水無しを検知した場合であっても、その継続時間が第３所定時間未満の場合には、カウント時間をリセットしない。したがって、例えば加湿機に物がぶつかるなどして、加湿機が一時的に傾いて、フロートのある位置の水面高さが一時的に低くなった場合に、給水タンク内に水が無いと判断してカウント時間をリセットしてしまうのを防止できる。
【００１４】
第４の発明に係る加湿機は、第１〜第３のいずれかの発明において、前記カウント時間をリセットさせるリセット操作部を備えており、前記制御手段は、前記リセット操作部が操作された場合に、カウント時間をリセットすることを特徴とする。
【００１５】
この加湿機では、水交換必要状態の報知開始前であっても、ユーザーによってリセット操作部が操作された場合に、カウント時間をリセットできる。
【００１６】
第５の発明に係る加湿機は、第２の発明において、前記制御手段は、前記報知手段による水交換必要状態の報知開始後、前記着脱検知手段が前記給水タンクの取付け無しを検知した状態が、前記第２所定時間継続した場合に、前記給水タンクが前記加湿機本体から取り外されたと判断して水交換必要状態の報知を停止させることを特徴とする。
【００１７】
この加湿機では、ユーザーによって給水タンクが取り外されたときに、報知を停止できる。
【００１８】
第６の発明に係る加湿機は、第３の発明において、前記制御手段は、前記報知手段による水交換必要状態の報知開始後、前記水検知手段が前記給水タンク内の水無しを検知した状態が、前記第３所定時間継続した場合に、前記給水タンク内の水が無いと判断して水交換必要状態の報知を停止させることを特徴とする。
【００１９】
この加湿機では、給水タンク内の水が無くなったときに、報知を停止できる。
【００２０】
第７の発明に係る加湿機は、第１〜第６のいずれかの発明において、前記報知手段による報知を停止させる停止操作部を備えており、前記制御手段は、前記報知手段による水交換必要状態の報知開始後、前記停止操作部が操作された場合に、水交換必要状態の報知を停止させることを特徴とする。
【００２１】
この加湿機では、ユーザーによって停止操作部が操作されたときに、報知を停止できる。停止操作部により報知を停止した場合、ユーザーが報知に気づいてから給水タンクを取り外すまでの間の不要な報知を無くすことができる。
【００２２】
第８の発明に係る加湿機は、第１〜第７のいずれかの発明において、前記給水タンクから供給された水を貯留する水トレイを備えており、前記水検知手段が、前記水トレイ内の水面の高さに基づいて、前記水タンク内の水の有無を検知することを特徴とする。
【００２３】
この加湿機では、水検知手段が、給水タンクではなく、水トレイに設けられている。水トレイは上方が開放された容器であるため、給水タンクよりもフロートを取り付ける場所や構造に比較的自由度があり、本体に設けられたリードスイッチとフロートの位置を近づけやすい。
【発明の効果】
【００２４】
以上の説明に述べたように、本発明によれば、以下の効果が得られる。
【００２５】
第１の発明では、水の入った給水タンクが第１所定時間以上継続して加湿機本体に取り付けられている場合に、水交換報必要状態がユーザーに報知される。水交換必要状態を報知するか否かの判断に、給水タンクが取付けられている継続時間だけでなく、給水タンク内の水の有無を用いているため、給水タンク内に水が残っていない場合の不要な水交換報知を防止できる。
【００２６】
第２の発明では、カウント中に、着脱検知手段が給水タンクの取付け無しを検知した状態が、第２所定時間継続した場合に、給水タンクが取り外されたと制御手段が判断して、カウント時間をリセットする。カウント中に、着脱検知手段が給水タンクの取付け無しを検知した場合であっても、その継続時間が第２所定時間未満の場合には、カウント時間をリセットしない。したがって、例えば給水タンクに物がぶつかるなどして、給水タンクが一時的にずれた場合に、給水タンクが取り外されたと判断してカウント時間をリセットしてしまうのを防止できる。
【００２７】
第３の発明では、カウント中に、水検知手段が給水タンク内の水無しを検知した状態が、第３所定時間継続した場合に、給水タンク内に水が無いと制御手段が判断して、カウント時間をリセットする。カウント中に、水検知手段が給水タンク内の水無しを検知した場合であっても、その継続時間が第３所定時間未満の場合には、カウント時間をリセットしない。したがって、例えば加湿機に物がぶつかるなどして、加湿機が一時的に傾いて、フロートのある位置の水面高さが一時的に低くなった場合に、給水タンク内に水が無いと判断してカウント時間をリセットしてしまうのを防止できる。
【００２８】
第４の発明では、水交換必要状態の報知開始前であっても、ユーザーによってリセット操作部が操作された場合に、カウント時間をリセットできる。
【００２９】
第５の発明では、ユーザーによって給水タンクが取り外されたときに、報知を停止できる。
【００３０】
第６の発明では、水タンク内の水が無くなったときに、報知を停止できる。
【００３１】
第７の発明では、ユーザーによって停止操作部が操作されたときに、報知を停止できる。停止操作部により報知を停止した場合、ユーザーが報知に気づいてから給水タンクを取り外すまでの間、または、水タンクに残った水が無くなるまでの間の不要な報知を無くすことができる。
【００３２】
第８の発明では、水検知手段が、給水タンクではなく、水トレイに設けられている。水トレイは上方が開放された容器であるため、給水タンクよりもフロートを取り付ける場所や構造に比較的自由度があり、本体に設けられたリードスイッチとフロートの位置を近づけやすい。
【図面の簡単な説明】
【００３３】
【図１】本発明の実施形態に係る空気清浄機（加湿機）の外観斜視図である。
【図２】給水タンクを取り付け（または取り外し）ている途中の空気清浄機の外観斜視図である。
【図３】空気清浄機の内部を説明するための斜視図である。
【図４】給水タンクと本体の前面部を取り外した状態の空気清浄機の外観斜視図である。
【図５】図１のＡ−Ａ線に沿った給水タンクと水トレイの断面図である。
【図６】図１のＢ−Ｂ線に沿った水検知部付近の断面図であって、（ａ）は水トレイ内の水面高さが満水レベルの状態を示しており、（ｂ）は水トレイ内の水面高さが満水レベルよりも低下した状態を示している。
【図７】操作パネルが露出した状態の空気清浄機の外観斜視図である。
【図８】空気清浄機の制御ブロック図である。
【図９】水交換報知制御部の処理手順を示すフローチャートである。
【発明を実施するための形態】
【００３４】
以下、本発明の実施形態について説明する。
本実施形態では、加湿機能を有する空気清浄機１に本発明を適用した例を挙げて説明する。但し、本発明は、空気清浄機能を必須の構成要素とするものではなく、空気清浄機能のない加湿機にも適用することができるものである。
【００３５】
図１および図２に示すように、本実施形態の空気清浄機１は、本体２と、本体２に対して着脱可能に構成された給水タンク３とを備えている。図３に示すように、本体２は、加湿ロータ４、水トレイ５、ファン６、フィルタ部７を備えている。本実施形態の空気清浄機１は、加湿を行わずに空気清浄のみを行う空気清浄運転と、加湿と空気清浄とを同時に行う加湿運転とが可能である。
【００３６】
本体２の左右側面には吸込口２ａが形成されており、本体２の天面の後側部分には、吹出口２ｂが形成されている。図３に示すように、ファン６の駆動により、吸込口２ａから吹出口２ｂに至る空気の流れ１３が発生する。吸込口２ａから吸い込まれた室内空気は、フィルタ部７を通過して塵埃や臭い成分などが取り除かれた後、加湿ロータ４を通過して、その後、吹出口２ｂから吹き出される。加湿運転時には、加湿ロータ４の加湿フィルタ４ａ（図４参照）を空気が通過する際に、加湿フィルタ４ａから気化する水によって空気が加湿される。
【００３７】
フィルタ部７は、空気の流れの上流側から順に、プレフィルタ７ａ、集塵フィルタ７ｂ、脱臭フィルタ７ｃを有する。フィルタ部７を通過する空気は、まずプレフィルタ７ａによって大きな塵埃が取り除かれ、次に、集塵フィルタ７ｂによって微細な塵埃が取り除かれ、その後、活性炭などを含む脱臭フィルタ７ｃによって、空気中のホルムアルデヒドや臭い成分等が分解あるいは吸着されて清浄化される。
【００３８】
図４に示すように、加湿ロータ４は、水トレイ５の上方に配置されており、水トレイ５の支持柱５ａに回転可能に支持されている。加湿ロータ４は、加湿フィルタ４ａと、加湿フィルタ４ａを保持する枠部材４ｂとを有する。加湿フィルタ４ａは、水トレイ５から供給される水を吸水して気化させることで、加湿フィルタ４ａを通過する空気を加湿する。
【００３９】
枠部材４ｂの外周部には複数の歯部４ｄが形成されており、この歯部４ｄと噛み合う歯車（図示省略）がモータ１４（図８参照）によって回転することで、加湿ロータ４が回転駆動される。加湿ロータ４は、加湿運転時にのみ回転し、空気清浄運転時には停止している。
【００４０】
枠部材４ｂの内部には、複数の水汲み部４ｃが周方向に並んで設けられている。なお、図４では、枠部材４ｂの一部を切欠いて、３つの水汲み部４ｃを表示している。この水汲み部４ｃは、内部に水を溜めることが可能な形状に形成されている。加湿ロータ４の回転により、複数の水汲み部４ｃは、順次水トレイ５内の水に浸水して、上昇していく際に水トレイ５内の水を汲み上げる。そして、水汲み部４ｃが最上位置に近付くにしたがって、水汲み部４ｃ内の水が、水汲み部４ｃの径方向内側に設けられた排出口（図示省略）から流れ出て加湿フィルタ４ａに供給される。
【００４１】
水トレイ５は、給水タンク３から供給された水を貯留する。水トレイ５は、本体２の下部に配置されており、加湿ロータ４と一緒に本体２から引き出して取り外すことができる。水トレイ５は、空気流の流路と給水タンク３が収容される空間とを仕切る仕切り壁５ｂと、加湿ロータ４を支持する支持柱５ａを有する。
【００４２】
給水タンク３は、本体２の側部に着脱可能に取り付けられている。給水タンク３の下部は、水トレイ５内に配置されている。給水タンク３は、その上端部を下端部に対して外側に回転させることで空気清浄機１から取り外される。給水タンク３は、空気清浄機１の外郭の一部を構成する板状部材と、タンク本体とで構成されている。
【００４３】
図５に示すように、給水タンク３の下部には、給水口３ａが設けられている。なお、図５は、給水タンク３のうち、空気清浄機１の外郭の一部を構成する板状部材を省略し、タンク本体のみを表示している。この給水口３ａは、着脱可能な給水キャップで構成されており、この給水キャップの内部には、水トレイ５の底面に設けられた押し込みピン５ｃによって開弁する弁（図示省略）が設けられている。水トレイ５内の水面高さが低下すると、給水タンク３内の水が水トレイ５内に流出して、水トレイ５内の水面高さが所定の満水レベルに維持される。また、給水タンク３内の水が無くなると、水トレイ５内の水面高さは満水レベルよりも低くなる。
【００４４】
空気清浄機１は、給水タンク３の取付けの有無を検知する着脱検知部９と、給水タンク３内の水の有無を検知する水検知部１０とを有する。図２に示すように、着脱検知部９は、本体２に設けられる。着脱検知部９は、レバーとリミットスイッチとを有している。給水タンク３を本体２に取り付けると、給水タンク３によってレバーが押圧されて、このレバーによってリミットスイッチが押されて、リミットスイッチのオン・オフが切り換わる。これにより、給水タンク３が本体２に取り付けられたことが検知される。
【００４５】
また、図６に示すように、水検知部１０は、本体２に設けられたリードスイッチ１０ａと、水トレイ５内の水に浮かぶフロート１０ｃと、フロート１０ｃに取り付けられた磁石１０ｂとを有する。リードスイッチ１０ａは、磁石１０ｂとの距離に応じてオン・オフが制御される。フロート１０ｃは、水トレイ５の内面に支持軸１０ｄによって回転可能に支持されており、水トレイ５内の水面高さに応じて支持軸１０ｄを中心に回動する。磁石１０ｂは、フロート１０ｃの支持軸１０ｄから遠い方の端部に取り付けられている。
【００４６】
水トレイ５内の水面高さが満水レベルの場合には、図６（ａ）に示すように、磁石１０ｂとリードスイッチ１０ａとは最も近接する。給水タンク３に水が無くなって、水トレイ５内の水面高さが所定高さよりも低くなると、図６（ｂ）に示すように、フロート１０ｃが回転して、リードスイッチ１０ａと磁石１０ｂとの距離が所定値よりも大きくなり、リードスイッチ１０ａのオン・オフが切り換わる。したがって、水検知部１０は、水トレイ５内の水面高さを検知することで、給水タンク３内の水の有無を間接的に検知できる。
【００４７】
また、図７に示すように、本体２の上面には、開閉可能な蓋１５ａで覆われた操作パネル１５が設けられている。操作パネル１５には、運転入／切スイッチ、運転切換スイッチ、報知停止スイッチ１６ａ（図８参照）などの操作部１６が設けられている。また、操作パネル１５には、給水タンク３の水の交換が必要な状態であることを点灯によりユーザーに報知する水交換ランプと、給水タンク３への給水が必要な状態であることを点灯によりユーザーに報知する給水ランプが設けられている。なお、水交換ランプの代わりに、別の表示手段を設けてもよい。また、給水ランプの代わりに、別の表示手段を設けてもよい。
【００４８】
また、本体２には、水交換必要状態や給水必要状態を音で報知するブザーが設けられている。また、ブザーの代わりに、音声で報知するようになっていてもよい。水交換ランプ（あるいは別の表示手段）とブザー（または音声）によって、水交換報知部１７（図８参照）が構成され、給水ランプ（あるいは別の表示手段）とブザー（または音声）とにより、給水報知部１８（図８参照）が構成される。水交換報知部１７と給水報知部１８はいずれも、ブザー（または音声）による報知を省略して、表示のみで報知してもよい。また、水交換報知部１７と給水報知部１８はいずれも、音声のみで報知するようになっていてもよい。報知停止スイッチ（停止操作部）１６ａは、水交換報知部１７による報知を停止させるものである。
【００４９】
次に、空気清浄機１の制御部２０について説明する。
制御部２０は、空気清浄運転や加湿運転が行われるように空気清浄機１の各種機器を制御する運転制御部２１と、水交換報知部１７を制御する水交換報知制御部２２と、給水報知部１８を制御する給水報知制御部２３とを有する。制御部２０は、ファン６、加湿ロータ４を駆動するモータ１４、着脱検知部９、水検知部１０、操作部１６、水交換報知部１７、給水報知部１８に電気的に接続されている。
【００５０】
水交換報知制御部２２は、水検知部１０と着脱検知部９の検知結果に基づいて、水交換報知部１７を制御する。水交換報知制御部２２は、給水タンク３が本体２に取り付けられており、その内部に水が有る状態が、第１所定時間（例えば２〜３日）継続した場合に、水交換報知部１７による報知を開始する。
【００５１】
水交換報知制御部２２の制御を図９のフローチャートを用いて説明する。水交換報知制御部２２は、空気清浄機１の電源が入ってから（ステップＳ１）、着脱検知部９が給水タンク３の取付け有りを検知し（ステップＳ２：Ｙｅｓ）、且つ、水検知部１０が給水タンク３の水有りを検知すると（ステップＳ３：Ｙｅｓ）、カウントを開始する（ステップＳ４）。
【００５２】
カウント中、着脱検知部９が給水タンク３の取付け無しを検知して、その状態が第２所定時間（例えば２秒）継続した場合には（ステップＳ５：Ｙｅｓ）、水交換報知制御部２２は、給水タンク３が本体２から取り外されたと判断して、カウント時間をリセットする（ステップＳ９）。カウント時間のリセット後は、ステップＳ２に戻る。また、着脱検知部９が給水タンク３の取付け無しを検知した状態の継続時間が、第２所定時間未満の場合は（ステップＳ５：Ｎｏ）、給水タンク３が本体２から取り外されていないと判断して、カウントを継続する。
【００５３】
また、カウント中、水検知部１０が給水タンク３内の水無しを検知して、その状態が第３所定時間（例えば２０秒）継続した場合には（ステップ６：Ｙｅｓ）、水交換報知制御部２２は、給水タンク３内に水が無いと判断して、カウント時間をリセットする（ステップＳ９）。カウント時間のリセット後は、ステップＳ２に戻る。また、水検知部１０が給水タンク３の水無しを検知した状態の継続時間が、第３所定時間未満の場合は（ステップ６：Ｎｏ）、給水タンク３内に水有りと判断して、カウントを継続する。
【００５４】
カウント時間が第１所定時間以上になると、（ステップＳ７：Ｙｅｓ）、水交換報知制御部２２は、水交換報知部１７による水交換必要状態の報知を開始する（ステップＳ８）。
【００５５】
また、水交換報知制御部２２は、報知開始後、給水タンク３が本体２から取り外されたと判断した場合、給水タンク３内の水が無いと判断した場合、または、報知停止スイッチ１６ａが操作された場合に、水交換報知部１７による報知を停止する。給水タンク３が本体２から取り外されたか否かの判断は、着脱検知部９の検知結果に基づいており、着脱検知部９が給水タンク３の取付け無しを検知した状態が、第２所定時間（例えば２秒）継続した場合に、給水タンク３が本体２から取り外されたと判断する。報知停止後は、ステップＳ２に戻る。
【００５６】
給水報知制御部２３は、水検知部１０の検知結果に基づいて、給水報知部１８を制御する。給水報知制御部２３は、加湿運転中および加湿運転を開始しようとするときに、水検知部１０が給水タンク３内の水無しを検知した状態が、所定時間（例えば２０秒）継続した場合に、給水報知部１８による報知を開始する。
【００５７】
本実施形態の空気清浄機１では、水の入った給水タンク３が第１所定時間以上継続して本体２に取り付けられている場合に、水交換報必要状態がユーザーに報知される。水交換必要状態を報知するか否かの判断に、給水タンク３が取り付けられている継続時間だけでなく、給水タンク３内の水の有無を用いているため、給水タンク３内に水が残っていない場合の不要な水交換報知を防止できる。
【００５８】
また、本実施形態では、カウント中に、着脱検知部９が給水タンク３の取付け無しを検知した状態が、第２所定時間継続した場合に、給水タンク３が取り外されたと水交換報知制御部２２が判断して、カウント時間をリセットする。カウント中に、着脱検知部９が給水タンク３の取付け無しを検知した場合であっても、その継続時間が第２所定時間未満の場合には、カウント時間をリセットしない。したがって、例えば給水タンク３に物がぶつかるなどして、給水タンク３が一時的にずれた場合に、給水タンク３が取り外されたと判断してカウント時間をリセットしてしまうのを防止できる。
【００５９】
また、本実施形態では、カウント中に、水検知部１０が給水タンク３内の水無しを検知した状態が、第３所定時間継続した場合に、給水タンク３内に水が無いと水交換報知制御部２２が判断して、カウント時間をリセットする。カウント中に、水検知部１０が給水タンク３内の水無しを検知した場合であっても、その継続時間が第３所定時間未満の場合には、カウント時間をリセットしない。したがって、例えば加湿機に物がぶつかるなどして、加湿機が一時的に傾いて、フロート１０ｃのある位置の水面高さが一時的に低くなった場合に、給水タンク３内に水が無いと判断してカウント時間をリセットしてしまうのを防止できる。
【００６０】
また、本実施形態では、ユーザーによって給水タンク３が取り外された場合、給水タンク３内の水が無いと判断した場合、または、報知停止スイッチ１６ａが操作された場合に、報知を停止できる。報知停止スイッチ１６ａにより報知を停止した場合、ユーザーが報知に気づいてから給水タンク３を取り外すまでの不要な報知を無くすことができる。
【００６１】
また、本実施形態では、水検知部１０は、水トレイ５内の水面高さを検知することで、給水タンク３内の水の有無を間接的に検知する。水トレイ５は上方が開放された容器であるため、給水タンク３よりもフロート１０ｃを取り付ける場所や構造に比較的自由度があり、本体に設けられたリードスイッチ１０ａとフロート１０ｃの位置を近づけやすい。
【００６２】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、以下の変更形態は、適宜組み合わせて実施することも可能である。
【００６３】
また、上記実施形態では、水検知部１０は、リードスイッチ１０ａと磁石１０ｂを利用したものであるが、それ以外の近接センサを用いてもよい。
【００６４】
上記実施形態では、着脱検知部９は、リミットスイッチとレバーとを備えた構成であるが、着脱検知部９は、給水タンク３の取付けの有無を検知できるものであれば、上記以外の構成でもよい。
【００６５】
上記実施形態では、水検知部１０は、水トレイ５内の水面高さを検知することで、給水タンク３内の水の有無を間接的に検知しているが、水検知部１０は、給水タンク３内の水の有無を直接検知するものであってもよい。
【００６６】
上記実施形態では、水交換報知制御部２２は、カウント中に、着脱検知部９が給水タンク３の取付け無しを検知した場合であっても、その継続時間が第２所定時間未満の場合には、カウント時間をリセットしないが、着脱検知部９が給水タンク３の取付け無しを検知した場合、継続するか否かに関わらず、カウント時間をリセットしてもよい。カウント中に、水検知部１０が給水タンク３内の水無しを検知した場合についても同様に、継続するか否かに関わらず、カウント時間をリセットしてもよい。
【００６７】
上記実施形態では、水交換報知制御部２２は、カウント時間が第１所定時間以上になると、運転中であるか否かに関わらず、水交換報知部１７による報知を開始しているが、運転中（加湿運転中または空気清浄運転中）または運転を開始しようとしている場合にのみ、報知を開始してもよい。つまり、カウント時間が第１所定時間以上となった時点で運転中であれば、直ちに報知を開始し、カウント時間が第１所定時間以上となった時点で運転停止中であれば、次に運転（加湿運転または空気清浄運転）を行ったときに、報知を開始する。
【００６８】
上記実施形態では、水交換報知部１７による報知開始後、給水タンク３が本体２から取り外された場合、または、給水タンク内の水が無いと判断した場合、または、報知停止スイッチ１６ａが操作された場合に、報知を停止するが、報知停止スイッチ１６ａを設けずに、給水タンク３が本体２から取り外された場合にのみ、または、給水タンク内の水が無いと判断した場合にのみ、報知を停止してもよい。
【００６９】
上記実施形態では、水交換報知部１７による報知開始後、給水タンク３が本体２から取り外された場合、または、給水タンク内の水が無いと判断した場合、または、報知停止スイッチ１６ａが操作された場合にのみ、水交換ランプ（あるいは別の表示手段）とブザー（または音声）の両方を同時に停止するが、これ以外の場合にも報知を停止してもよい。例えば、水交換報知部１７による報知が所定時間以上継続した場合、ブザー（または音声）を停止して、水交換ランプの点灯（あるいは別の表示手段）のみを継続してもよい。
【産業上の利用可能性】
【００７０】
本発明を利用すれば、給水タンク内に水が残っていない場合の不要な水交換報知を防止できる。
【符号の説明】
【００７１】
１  空気清浄機（加湿機）
２  本体（加湿機本体）
３  給水タンク
４  加湿ロータ
５  水トレイ
９  着脱検知部（着脱検知手段）
１０  水検知部（水検知手段）
１６ａ  報知停止スイッチ（停止操作部）
１７  水交換報知部
２０  制御部
２２  水交換報知制御部
【図１】
2015045436.tif 000003
【図２】
2015045436.tif 000004
【図３】
2015045436.tif 000005
【図４】
2015045436.tif 000006
【図５】
2015045436.tif 000007
【図６】
2015045436.tif 000008
【図７】
2015045436.tif 000009
【図８】
2015045436.tif 000010
【図９】
2015045436.tif 000011